(57)【特許請求の範囲】
【請求項１】
試料採取ピペットであって、本体（２）と、本体（２）の下端部に固定されたコーンであって、本体（２）の下端部が該コーンを摩擦によって受け入れ、該コーンが液体を通過させるように構成されているコーンを突き出すよう本体に対して長手方向（１０）に動くことができるアーム（２０）と、アームの運動を制御するボタン（１４）とを有し、試料採取ピペットは、ボタン（１４）を長手方向（１０）に対して垂直な平面内で動かすことができ、それによって、ボタン（１４）がこの平面内における連続した位置範囲中の任意の特定の１つの位置を占めることができ、ボタン（１４）が前記任意の特定の位置でアームの運動を制御できるように構成されている試料採取ピペットにおいて、ボタン（１４）は、本体（２）に対し、長手方向（１０）に垂直な軸線（３６）の回りに回転できるよう取り付けられていることを特徴とするピペット。
【請求項２】
ボタン（１４）は、本体（２）に対し、前記平面内で回転することができるように取り付けられていることを特徴とする請求項１に記載のピペット。
【請求項３】
ボタン（１４）は、コーンを突き出すのに必要な力を減少させる梃子として働くことを特徴とする請求項１に記載のピペット。
【請求項４】
ピペットは、本体（２）に対するボタン（１４）の少なくとも１つの所定の位置を前記位置範囲から突き止める手段（４８）を有していることを特徴とする請求項１〜３のうちの何れか１項に記載のピペット。
【請求項５】
アーム（２０）に対するボタン（１４）の摺動支持箇所が、作動箇所とシャフトとの間に位置していることを特徴とする請求項１に記載のピペット。
【請求項６】
ピペットは、本体（２）に対し、長手方向（１０）に平行な軸線（２８）の回りに回転できるよう取り付けられた中間部分（１２）を有し、ボタン（１４）は、中間部分（１２）に対し、長手方向（１０）に垂直な軸線（３６）の回りに回転できるよう取り付けられていることを特徴とする請求項１〜５のうちの何れか１項に記載のピペット。
【請求項７】
ボタン（１４）は、中間部分（１２）に直接連結されていることを特徴とする請求項６記載のピペット。
【請求項８】
中間部分（１２）は、アーム（２０）に対し、長手方向（１０）に平行な軸線（２８）の回りに回転できるよう取り付けられていることを特徴とする請求項６又は７に記載のピペット。
【請求項９】
中間部分（１２）は、本体（２）に直接連結されていることを特徴とする請求項６〜８のうちの何れか１項に記載のピペット。
【請求項１０】
ピペットは、本体（２）に対し、長手方向（１０）に平行な軸線（２８）の回りに動くことができる連結部分（１６）を有し、ボタン（１４）は、連結部分に対し、連結部分に設けられた開口部（３９）を通って動くことができることを特徴とする請求項１〜９のうちの何れか１項に記載のピペット。
【請求項１１】
連結部分（１６）は、アーム（２０）に対し、長手方向（１０）に平行な軸線（２８）の回りに回転することができることを特徴とする請求項１０に記載のピペット。
【請求項１２】
連結部分（１６）は、中間部分（１２）に対し、長手方向（１０）に平行な軸線（２８）の回りに回転できることを特徴とする請求項１０または１１に記載のピペット。
【請求項１３】
連結部分（１６）は、中間部分（１２）に直接連結されていることを特徴とする請求項１２に記載のピペット。
【請求項１４】
連結部分（１６）は、アーム（２０）に直接連結されていることを特徴とする請求項１０〜１３のうちの何れか１項に記載のピペット。
【発明の詳細な説明】
【０００１】  本発明は、液体試料採取ピペットに関する。
【０００２】  欧州特許第０５６６９３９号明細書は、本体及び突出しアームを有するピペットを開示しており、突出しアームは、ピペットから摩擦によりその下側部分に締結されたコーンを分離するために本体に沿って摺動することにより可動である。ピペットは、突出し操作ボタンを有し、このボタンに圧力を及ぼすことによりアームを下降させることができる。
突出しボタンは、ピペットの後ろでその中央中間対称面内に位置している。この場合、かかる位置は最終的には、ボタンを操作するには長期間にわたって使いづらいことが判明した。
【０００３】
本発明の一目的は、突出し装置を操作するのにより快適なピペットを提供する
ことにある。
この目的を達成するため、本発明によれば、試料採取ピペットであって、本体と、本体の下端部に固定されたコーンであって、本体の下端部が該コーンを摩擦によって受け入れ、該コーンが液体を通過させるように構成されているコーンを突き出すよう本体に対して長手方向に動くことができるアームと、アームの運動を制御するボタンとを有し、試料採取ピペットは、ボタンを長手方向に対して垂直な平面内で動かすことができ、それによって、ボタンがこの平面内における連続した位置範囲中の任意の特定の１つの位置を占めることができ、ボタンが前記任意特定の位置でアームの運動を制御できるように構成されている試料採取ピペットにおいて、ボタンは、本体に対し、長手方向に垂直な軸線の回りに回転できるよう取り付けられていることを特徴とするピペットが提供される。
【０００４】    かくして、ユーザは、自分にもっとも適したボタンの位置を選択することができる。この選択は、どちらの手でピペットを掴むかどうかに応じて左側の位置と右側の位置との間で行うことができるだけでなく、更に、この選択は、ユーザの選択に応じて無数の位置から行うことができる。したがって、ユーザは、ピペットを快適な取り扱いが得られるよう所望に応じて合わせることができる。
【０００５】
さらに、本発明は、以下の特徴のうちの任意の少なくとも１つを有することができる。
ボタンは、本体に対し、上記平面内で回転することができるように取り付けられている。
ボタンは、上記平面内でのボタンの運動中、アームに対する摺動支持作用を生じさせるよう構成されている。
【０００６】  ピペットは、本体に対するボタンの少なくとも１つの所定の位置を上記位置範囲から突き止める手段を有している。
ボタンは、ボタンが上記範囲内の同一位置を占めているとき、アームの運動中、アームに対する摺動支持作用を生じさせるよう構成されている。
ボタンは、本体に対し、長手方向に垂直な軸線の回りに回転できるよう取り付けられている。
【０００７】  ピペットは、本体に対し、長手方向に平行な軸線の回りに回転でぎるよう取り付けられた中間部分を有し、ボタンは、中間部分に対し、長手方向に垂直な軸線の回りに回転できるよう取り付けられている。
ボタンは、中間部分に直接連結されている。
【０００８】  中間部分は、アームに対し、長手方向に平行な軸線の回りに回転できるよう取り付けられている。
中間部分は、本体に直接連結されている。
【０００９】  ピペットは、本体に対し、長手方向に平行な軸線の回りに動くことができる連結部分を有し、ボタンは、連結部分に対し、連結部分に設けられた開口部を通って動くことができる。
連結部分は、アームに対し、長手方向に平行な軸線の回りに回転することができる。
連結部分は、中間部分に対し、長手方向に平行な軸線の回りに回転できる。
連結部分は、中間部分に直接連結されている。
連結部分は、アームに直接連結されている。
【００１０】  本発明の他の特徴及び利点は、非限定的な例として記載される好ましい実施形態の以下の説明から明らかになろう。
【００１１】  図１に示す実施形態のピペットは、単一のチャネルを備えた試料採取ピペットであり、その多くの特徴は、それ自体知られているのでここでは詳細には説明しない。具体的には、ピペットは、試料採取操作ボタン６が取り付けられた軸線１０のステム４を有し、この試料採取操作ボタン６は、ピペットの下方キャビティ内での軸線１０に沿うピストンの摺動運動を制御して液体試料をこのキャビティ内に吸い込み、又は液体試料をこのキャビティから押し出すようになっている。
【００１２】  ピペットの下側部分は、摩擦により使い捨てコーンを固定状態で受け入れることができ、採取された液体はこの使い捨てコーンを通過する。ピペットは、試料採取量を調節する手段を有し、これは従来タイプのものであるのがよい。
【００１３】  ピペットは、コーンをピペットから分離するためにコーンを長手方向下方に押すことができる突出し機構を有している。この機構の下側部分はそれ自体知られている。したがって、その上側部分だけを説明する。
【００１４】  具体的に図３を参照すると、この突出し機構は、上蓋１２、突出し操作ボタン１４、ピボットカバー１６、ばね１８及びアクチュエータ２０を有している。
上蓋１２は、円筒形側面２２及び円形の平坦な上面２４を有している。この上面の中央にはフィンガ２６が取り付けられ、このフィンガ２６は、本体２のオリフィス内に受け入れられると共に座金によって定位置に保持されている。このフィンガにより、蓋１２は、本体２に対し軸線１０に平行な垂直軸線２８の回りで回転することができ、また、本体に対して摺動できるよう固定できる。
【００１５】  ボタン１４は、平らになった作動部分３０と、作動部分に平行に側方に延びる脚部又は枝部３２と、脚部に垂直であって、その各側から延びるシャフト３４とを有している。シャフトは、上蓋１２内で回転できるように受け入れられている。かくして、ボタンは、垂直軸線１０，２８に垂直であって軸線２８と交差する水平軸線３６回りに蓋に関節連結されている。蓋の側壁２２は、蓋が水平位置にあるときにボタンの脚部３２が納まる切除部３７を有している。蓋は下方に開いている。
【００１６】  ピボットカバー１６は、上方に開口した円筒形の壁３８及び円形の平坦な下壁４０を有し、フィンガ４２がこの下壁から下方に突出している。蓋１２は、ピボットカバー１６内に位置し、これらの側面２２，３８は互いに向かい合っている。
【００１７】  壁３８は、その高さ全体にわたり、蓋の切除部３７と一致するよう設けられた切除部３９を有し、脚部３２がこの切除部３９を通過する。ピボットカバー１６は、軸線２８に沿って蓋１２に対して摺動できる。
【００１８】  アクチュエータ２０はその上方部分に、前縁部から中心まで切除された平坦壁４４を有している。この切除部は、壁４４の中心に位置するフィンガ４２を受け入れている。フィンガの下端部は、軸線２８に沿うアクチュエータ２１に対するピボットカバー１６の並進運動を止めるために幅が広くなっている。したがって、ピボットカバー１６は、アクチュエータに対し軸線２８の回りに回転することができる。ピボットカバー１６は、アクチュエータの壁４４に下向きに当接する。アクチュエータ２０は、壁４４の縁部に、その後側、左側及び右側に位置し、壁４４に対して上方に突出した“Ｕ”字形カラー４６を有している。カラーは、カラー内へ下方に切り込まれた切欠き４８、例えば図示のように３つの切欠き又は５つの切欠きを有している。切欠きのうちの１つは、カラーの後部の中間に位置している。他の２つは、それぞれ壁４４の左側及び右側に位置している。脚部３２は、カラー４６に当接し、切欠き４８のうちの１つに入ることができる。
【００１９】  ばね１８は、図４〜図７に示すようにアクチュエータ２０内に収容されている。このばねは、アクチュエータを上方に押圧するためにその下端部が本体２に当接し、その上端部が壁４４の下に当接している。アクチュエータ２０は、軸線２８に沿って本体２内で摺動することができる。アクチュエータは、突出されるべきコーンに接触するようになった下部ステム（図示せず）に剛結されている。
【００２０】  今説明した構造により、２つの一連の動作が可能である。
まず最初に、図１０〜図１２を参照すると、ボタン１４は、本体２に対し、軸線２８の回りに、即ち、軸線２８に垂直な水平面内で回転することができる。このボタンをその後方又は中間位置のいずれの側においても各方向に８０°だけ動かすことができる。図１１及び図１２に示すこれら行程の左端及び右端は、脚部３２が側方切欠き４８内へ受け入れられることを意味している。この回転運動の間、ボタン１４、上蓋１２及びピボットカバー１６は、軸線２８の回りに一体として回転する。アクチュエータ２０は、静止状態のままである。ボタンを、１６０°の行程範囲から切欠きの外部又は内部の任意の位置に配置することができる。
【００２１】  さらに、本体２に対する軸線２８回りのボタン１４のどのような位置からでも、ユーザが部分３０を操作してボタンを下方に作動させることができる。この動作により、ボタンは水平軸線３６の回りに回転し、それにより軸線２８に沿うピボットカバー１６及びアクチュエータ２０の垂直摺動が生じる。この運動中、脚部３２は、カラー４６上を軸線２８に対して放射状に広がる平面内で摺動することによりカラー４６の同一箇所に当たる。上蓋１２は、不動状態のままである。アクチュエータの下降により、コーンを突き出すことができる。その結果、軸線２８回りのボタンの位置がどこにあっても、特に、ボタンがピペットの左側、右側又は後側にあってもコーンを突き出すことができる。
【００２２】  実際には、ボタンを動かしながら、今説明した２つの運動を意のままに組み合わせることができる。ユーザは、休止状態においてボタンの位置を自由に選択でき、又コーンの突出し動作中、その位置を自由に選択することができる。
この機構は、比較的簡単な構造でボタンについて運動及び位置決めの大きな自由度を与えることが理解できる。製造及び組立てが容易である。
【００２３】
さらに、アクチュエータ２０に対するボタン１４の摺動支持箇所が、作動部分３０とシャフト３４との間に位置しているので、ボタンは、コーンを突出させるために加えられる力を減少させる梃子として働く。
【００２４】  切欠き４８は、カラー上のボタンの好ましい位置（この場合、後側、左側及び右側）を突き止める手段となる。突出し中、アクチュエータに対するボタンの摺動支持に関する特性を、ボタンが本体に対し、方向１０に垂直な平面内で動くことができるという特性とは無関係に実現できる。
【図面の簡単な説明】
【図１】  本発明のピペットの上側部分の軸方向縦断面部分図である。
【図２】  図１のピペットの部分右側面図である。
【図３】  図１のピペットの突出し機構の上側部分の分解斜視図である。
【図４】  図１と類似した図であり、突出し装置の高位置を示す図である。
【図５】  図１と類似した図であり、突出し装置の低位置を示す図である。
【図６】  図４のピペットのＶＩ−ＶＩ矢視軸方向縦断面図である。
【図７】  図６と類似した図であり、突出し装置を低位置で示す図である。
【図８】  図１のピペットの平面図である。
【図９】  図４のピペットのＩＸ−ＩＸ矢視横断面図である。
【図１０】  図８と類似したピペットの部分図であり、水平面内における突出しボタンの角度行程を示す図である。
【図１１】  図１０と類似した図であり、ボタンの最も左側の位置を示す図である。
【図１２】  図１０と類似した図であり、ボタンの最も右側の位置を示す図である。
【図１】
0005524439.tif 000002
【図２】
0005524439.tif 000003
【図３】
0005524439.tif 000004
【図４】
0005524439.tif 000005
【図５】
0005524439.tif 000006
【図６】
0005524439.tif 000007
【図７】
0005524439.tif 000008
【図８】
0005524439.tif 000009
【図９】
0005524439.tif 000010
【図１０】
0005524439.tif 000011
【図１１】
0005524439.tif 000012
【図１２】
0005524439.tif 000013